(57)【要約】【課題】洗濯兼脱水槽、パルセータなどに付着する洗剤カスを除去する機能を有する洗濯機において、洗濯兼脱水槽の底面とパルセータの下方との間の洗濯液の流れに乱れを起こし撹乱の力が加わるようにして、洗濯兼脱水槽の内面の底面とパルセータの下方との間の空間の壁面に付着した洗剤カスを除去し、洗濯物への再付着を防止する。【解決手段】洗濯兼脱水槽１７の内部の底面にパルセータ２を配設し、洗濯兼脱水槽１７とパルセータ２をモータ６により回転駆動する。洗濯兼脱水槽１７の内面の底面とパルセータ２の下方との間に水流撹乱部１８を設け、モータ６によるパルセータ２の回転によって、水流撹乱部１８に洗濯液の流れを衝突させ、洗濯液に上下方向の流れを起こし、洗濯液を撹乱するように構成する。【選択図】  図１
2005006744.tif 000002
【特許請求の範囲】
【請求項１】
洗濯兼脱水槽の内部の底面に配設したパルセータと、前記洗濯兼脱水槽と前記パルセータを回転駆動する駆動手段とを備え、前記洗濯兼脱水槽の内面の底面と前記パルセータの下方との間に水流撹乱部を設け、前記駆動手段による前記パルセータの回転によって、前記水流撹乱部に洗濯液の流れを衝突させ、洗濯液に上下方向の流れを起こし、洗濯液を撹乱するように構成した洗濯機。
【請求項２】
水流撹乱部は、洗濯兼脱水槽の内面の底面に少なくとも一つの突出リブを放射状に設けて構成した請求項１記載の洗濯機。
【請求項３】
突出リブを洗濯兼脱水槽に設けた循環経路の下部の入口付近に設けた請求項２記載の洗濯機。
【請求項４】
水流撹乱部は、洗濯兼脱水槽の内面の底面に少なくとも一つの溝部を放射状に設けて構成した請求項１または２記載の洗濯機。
【請求項５】
洗い行程とすすぎ行程とを有し、少なくともすすぎ行程の終わりにて、パルセータを回転しながら排水を実行するように構成した請求項１〜４のいずれか１項に記載の洗濯機。
【請求項６】
洗濯兼脱水槽の内面の下方の側面に、パルセータの回転方向のほぼ全周にわたってリブを設けた請求項１〜５のいずれか１項に記載の洗濯機。
【発明の詳細な説明】
【０００１】
【発明の属する技術分野】
本発明は、洗濯兼脱水槽、パルセータなどに付着する洗剤カスを除去する機能を有する洗濯機に関するものである。
【０００２】
【従来の技術】
従来、代表的な洗濯機は、パルセータを回転させて洗濯するものであり、この種の洗濯機の構成を図５を参照しながら説明する。
【０００３】
図５に示すように、外槽１は、底部にパルセータ２を回転自在に配設した洗濯兼脱水槽３を内包し、吊り棒４により筐体５に吊り下げている。モータ６は、減速機構兼クラッチ７を介して、パルセータ２または洗濯兼脱水槽３を駆動する。排水弁８は洗濯兼脱水槽３内の洗濯液を排水し、給水弁９は洗濯兼脱水槽３内に給水するものである。
【０００４】
洗濯兼脱水槽３には脱水時の振動を低減させるための流体バランサ１０を設け、洗濯兼脱水槽３の上部には蓋１１を配設している。制御装置１２は、モータ６、排水弁８、給水弁９などを制御して、洗濯、すすぎ、脱水の一連の行程を逐次制御するものである（例えば、特許文献１参照）。
【０００５】
上記構成において動作を説明すると、洗濯兼脱水槽３に洗濯物１３と所定量の洗剤１４を投入した後、洗濯を開始すると制御装置１２により給水弁９を制御して洗濯兼脱水槽３内に所定量の水を給水し、その後、制御装置１２により、モータ６を制御してパルセータ２を駆動する。パルセータ２の回転によって洗濯兼脱水槽３内の洗濯物１３と水とを撹拌し、この撹拌によって洗剤を徐々に溶解して洗濯液となり、洗濯物１３に付着した汚れを落す。
【０００６】
つぎに、洗濯物１３に残留付着した洗剤１４成分を取り除くために、汚れ、洗剤１４成分を含んだ洗濯液１５を一度排水し、再び給水してパルセータ２を回転させ、洗濯物１３から洗剤１４成分を取り除くすすぎ行程を行う。すすぎ終了後は、すすぎに使った洗濯液１５を排水し、洗濯兼脱水槽３を回転させ、遠心力によって洗濯物１３に含まれた洗濯液１５を排出する脱水行程を行う。
【０００７】
また、従来の洗濯兼脱水槽３を洗浄する手段としては、洗濯コースとは別に槽洗浄の専用のコースで、洗濯兼脱水槽３の外壁、外槽１の内壁を洗浄しているものがある（例えば、特許文献２参照）が、洗濯兼脱水槽３の内部の底面とパルセータ２の下方との間を対象にした手段は無かった。
【０００８】
【特許文献１】
特開２００１−３７８２６号公報
【特許文献２】
特開平９−５６９７２号公報
【０００９】
【発明が解決しようとする課題】
このような構成の洗濯機で、洗濯を行うと、洗濯兼脱水槽３内に発生した洗剤カス１６は槽外に排出されず、図５に示すように、洗濯兼脱水槽３の下部、パルセータ２の壁面に残ることがあった。この洗濯液１５中の洗剤カス１６は粘性が高い親油性の物質である。しかも、洗濯兼脱水槽３の下部の材質、パルセータ２は樹脂材料が多いため、非常に親油性が良いので、洗濯兼脱水槽３の下部、パルセータ２の壁面に吸着しやすい。
【００１０】
特に、洗濯兼脱水槽３の内部の底面とパルセータ２の下方との間の空間は、流れの力が弱いので、その空間の壁面全体に付着しやすい。このため、一度吸着すると粘性が高いため強固に吸着し、そのまま残っていた。また、この粘性の高い洗剤カス１６は僅か１時間程度で乾いてしまう。それ故、吸着したらすぐに除去する必要がある。
【００１１】
また、この洗剤カス１６は、微生物、バクテリア等の餌になり、しかも、槽中は湿度が高いため、菌の成長を促し、カビの元になったりするので、吸着しないようにすることが必要で、吸着してもすぐに除去する必要がある。
【００１２】
しかし、従来の構成では、洗濯兼脱水槽３内のパルセータ２の下方に発生した洗剤カス１６は、パルセータ２や洗濯兼脱水槽３の回転によって生じる僅かな洗濯液１５の流れの力しかないので、壁面に吸着した洗剤カス１６を除去するだけの十分な力は得られず、洗濯兼脱水槽３の内部の底面とパルセータ２の下方との間の壁面に洗剤カス１６が吸着したまま残ってしまうという問題を有していた。
【００１３】
本発明は上記従来の課題を解決するもので、洗濯兼脱水槽の底面とパルセータの下方との間の洗濯液の流れに乱れを起こし撹乱の力が加わるようにして、洗濯兼脱水槽の内面の底面とパルセータの下方との間の空間の壁面に付着した洗剤カスを除去し、洗濯物への再付着を防止することを目的としている。
【００１４】
【課題を解決するための手段】
本発明は上記目的を達成するために、洗濯兼脱水槽の内部の底面にパルセータを配設し、洗濯兼脱水槽とパルセータを駆動手段により回転駆動するように構成し、洗濯兼脱水槽の内面の底面とパルセータの下方との間に水流撹乱部を設け、駆動手段によるパルセータの回転によって、水流撹乱部に洗濯液の流れを衝突させ、洗濯液に上下方向の流れを起こし、洗濯液を撹乱するように構成したものである。
【００１５】
これにより、洗濯兼脱水槽の内部の底面とパルセータの下方との間の洗濯液の流れに乱れを起こし撹乱の力が加わるようにできて、洗濯兼脱水槽の内面の底面とパルセータの下方との間の空間の壁面に付着した洗剤カスを除去することができ、洗剤カスの洗濯物への再付着を防止することができる。
【００１６】
【発明の実施の形態】
本発明の請求項１に記載の発明は、洗濯兼脱水槽の内部の底面に配設したパルセータと、前記洗濯兼脱水槽と前記パルセータを回転駆動する駆動手段とを備え、前記洗濯兼脱水槽の内面の底面と前記パルセータの下方との間に水流撹乱部を設け、前記駆動手段による前記パルセータの回転によって、前記水流撹乱部に洗濯液の流れを衝突させ、洗濯液に上下方向の流れを起こし、洗濯液を撹乱するように構成したものであり、洗濯兼脱水槽の内部の底面とパルセータの下方との間の空間の洗濯液の流れに乱れを起こし撹乱の力が加わるようにできて、洗濯兼脱水槽の内面の底面とパルセータの下方との間の空間の壁面に付着した洗剤カスを除去することができて、洗剤カスの成長を抑制することができ、また、除去した洗剤カスが遠心力を受け洗濯液中に浮遊して、パルセータの上方に浮き上がり、洗濯物への再付着を防止することができる。
【００１７】
請求項２に記載の発明は、上記請求項１に記載の発明において、水流撹乱部は、洗濯兼脱水槽の内面の底面に少なくとも一つの突出リブを放射状に設けて構成したものであり、簡単に水流撹乱部を構成することができる。
【００１８】
請求項３に記載の発明は、上記請求項２に記載の発明において、突出リブを洗濯兼脱水槽に設けた循環経路の下部の入口付近に設けたものであり、突出リブにより、洗濯兼脱水槽の内部の底面とパルセータの下方との間の空間の洗濯液の流れに乱れを起こし撹乱の力が加わるようにできるとともに、循環通路への洗濯液の流れの案内ガイドの働きもすることができる。
【００１９】
請求項４に記載の発明は、上記請求項１または２に記載の発明において、水流撹乱部は、洗濯兼脱水槽の内面の底面に少なくとも一つの溝部を放射状に設けて構成したものであり、水流撹乱部により洗濯兼脱水槽の内面の底面とパルセータの下方との間の空間の一部を狭くすることもないので、この間を通過する洗濯液の抵抗を増やすことがなく、突出リブに比べてパルセータを回転させるエネルギーを小さく抑えることができる。
【００２０】
請求項５に記載の発明は、上記請求項１〜４に記載の発明において、洗い行程とすすぎ行程とを有し、少なくともすすぎ行程の終わりにて、パルセータを回転しながら排水を実行するように構成したものであり、洗剤カスは洗濯液より比重が軽いため、洗濯液中を浮き上がるが、除去した洗剤カスを洗濯液とともに排水口へ導くことができるので、洗濯兼脱水槽内の洗濯物に除去した洗剤カスが再付着するのを防止することができる。
【００２１】
請求項６に記載の発明は、上記請求項１〜５に記載の発明において、洗濯兼脱水槽の内面の下方の側面に、パルセータの回転方向のほぼ全周にわたってリブを設けたものであり、パルセータを回転させると、パルセータの回転数、洗濯液の水位等の条件によっては、洗濯液の流れは遠心力で、洗濯兼脱水槽の内面の側壁にそって、下部から上方へ除去した洗剤カスとともに洗濯液が上がってくることがある。よって、ほぼ全周方向にリブを設けることにより、この洗濯液の流れを止めることができ、洗濯兼脱水槽内の洗濯物に除去した洗剤カスが再付着するのを防止することができる。
【００２２】
【実施例】
以下、本発明の実施例について、図面を参照しながら説明する。なお、従来例と同じものは、同一符号を付して説明を省略する。
【００２３】
（実施例１）
図１に示すように、洗濯兼脱水槽１７は、パルセータ２の下方の内面の底面に水流撹乱部１８を設け、モータ（駆動手段）６によるパルセータ２の回転によって、洗濯兼脱水槽１７内の洗濯液１５に流れを作り、洗濯兼脱水槽１７の内面の底面に設けた水流撹乱部１８に衝突させ、上下方向の洗濯液１５の流れを作り、洗濯液１５を撹乱するように構成している。
【００２４】
また、洗濯兼脱水槽１７の内部に循環通路１９を設け、この循環通路１９の入口１９ａは、洗濯兼脱水槽１７の下部に設け、出口１９ｂを洗濯兼脱水槽１７の上部に設けている。
【００２５】
水流撹乱部１８は、図２に示すように、洗濯兼脱水槽１７の内面の底面に放射状に突出リブ２０を設けて構成している。水流撹乱部１８はこのように突出リブ２０を設けることによって、簡単に構成できる。突出リブ２０の一部は、洗濯兼脱水槽１７に設けられた循環経路１８の下部の入口１９ａ付近にも設けている。さらに、洗濯兼脱水槽１７の内面の下方の側面に、パルセータ２の回転方向のほぼ全周にわたってリブ２１を設けている。
【００２６】
制御装置２２は、モータ６、排水弁８、給水弁９、排水弁８などを制御して、洗い、すすぎ、脱水の一連の行程を逐次制御するとともに、すすぎ行程の終わりにおいて、パルセータ２を回転しながら排水を実行するように構成している。
【００２７】
上記において動作を説明する。洗濯槽兼脱水槽１７内に洗濯物１３と洗剤１４を投入し、洗濯液１５を所定水位まで入れ、制御装置２２によりモータ６を回転駆動し、洗濯兼脱水槽１７またはパルセータ２を回転させて、洗濯物１３に付着した汚れを落す洗い行程を行う。つぎに、洗濯物１３に残留付着した洗剤１４成分を取り除くために、汚れ、洗剤１４成分を含んだ洗濯液１５を一度排水し、再び給水して洗濯兼脱水槽１７またはパルセータ２を回転させ、洗濯物１３から洗剤１４成分を取り除くすすぎ行程を行う。すすぎ終了後は、すすぎに使った洗濯液１５を排水し、洗濯兼脱水槽１７を回転させて遠心力によって洗濯物１３に含まれた洗濯液１５を排出する脱水行程を行う。
【００２８】
また、この洗い行程、すすぎ行程にて、パルセータ２を回転させると、洗濯液１５に遠心方向の流れが生じ、洗濯兼脱水槽１７の下部に設けた循環通路１９の入口１９ａに洗濯液１５が流入し、この洗濯液１５が循環通路１９内を上昇し、循環通路１９の上部に設けた出口１９ｂから洗濯液１５を吐出する。この吐出された洗濯液１５は洗濯兼脱水槽１７内の洗濯物１３にかかるため、洗濯行程では洗浄性能を向上することができ、すすぎ行程ではすすぎ性能を向上することができる。また、循環通路１９の出口１９ｂにリントフィルターを設ければ、洗濯時のリントの回収ができる。
【００２９】
また、洗い行程、すすぎ行程において、パルセータ２を回転させるとき、同時に、洗濯液１５の流れの一部は、洗濯兼脱水槽１７の内面の底面に設けた水流撹乱部１８に衝突し、図３の矢印ａで示すように、上下方向の洗濯液１５の流れを作り、洗濯兼脱水槽１７の底面とパルセータ２の下方の空間の洗濯液１５の流れを撹乱させる。この洗濯液１５の流れの撹乱は、洗い行程、すすぎ行程と両方で行われる。すなわち、洗濯液１５があり、パルセータ２の回転を伴うすべての動作において行われる。したがって、洗剤カス１６が乾いていないので、洗濯液１５の流れの乱れの力で容易に洗剤カス１６を除去することができる。
【００３０】
ここで、水流撹乱部１８は、洗濯兼脱水槽１７の内面の底面に放射状に突出リブ２０を設けて構成しているので、洗濯兼脱水槽１７の底面とパルセータ２の下方の空間の洗濯液１５の流れを容易に撹乱させることができ、洗濯液１５の流れの乱れの力で洗剤カス１６を容易に除去することができる。
【００３１】
また、循環通路１９の入口１９ａ付近に設けた突出リブ２０は、パルセータ２を回転によって生じる洗濯液１５の流れを循環通路１９へ円滑にガイドする。よって、循環通路１９への洗濯液１５の流入の効率を上げ、循環通路１９の作用を高めることができる。
【００３２】
また、すすぎ行程の終わりの洗濯液１５の排水時に、パルセータ２を回転させながら洗濯液１５を排水させることにより、除去した洗剤カス１４を洗濯液１５とともに排水することができるので、除去した洗剤カス１６が洗濯液１５より比重が軽いために、洗濯液１５中を浮き上がり洗濯兼脱水槽１７内の洗濯物１３に再付着するのを防止することができ、排水時に洗剤カス１６が残ることもなくなる。
【００３３】
また、パルセータ２の回転によって生じる洗濯液１５の流れは遠心力によって、パルセータ２の回転数、洗濯液１５の水位等の条件によっては、洗濯兼脱水槽１７の内面の側壁にそって、下部から上方へ除去した洗剤カス１６とともに洗濯液１５が上がってくるが、洗濯兼脱水槽１７の内面の下方の側面にパルセータ２の回転方向のほぼ全周にわたりリブ２１を設けることにより、洗濯液１５の上がりを止めることができるため、除去した洗剤カス１６がパルセータ２上の洗濯物１３に付着し、再付着するのを防ぐことができる。
【００３４】
このように本実施例によれば、パルセータ２の回転によって、水流撹乱部１８に洗濯液１５の流れを衝突させ、洗濯液１５に上下方向の流れを起こし、洗濯液１５を撹乱するように構成したので、洗濯兼脱水槽１７の内部の底面とパルセータ２の下方との間の空間の洗濯液の流れに撹乱の力が加わるようにできて、洗濯兼脱水槽１７の内面の底面とパルセータ２の下方との間の空間の壁面に付着した洗剤カス１６を除去し、洗剤カス１６の成長を抑えることができる。
【００３５】
また、水流撹乱部１８は、洗濯兼脱水槽１７の内面の底面に突出リブ２０を放射状に設けて構成したので、水流撹乱部１８を簡単に構成することができる。
【００３６】
また、突出リブ２０を洗濯兼脱水槽１８に設けた循環経路１９の下部の入口１９ａ付近に設けたので、突出リブ２０により、洗濯兼脱水槽１７の内部の底面とパルセータ２の下方との間の空間の洗濯液の流れに乱れを起こし撹乱の力が加わるようにできるとともに、循環通路１９への洗濯液の流れの案内ガイドの働きもすることができる。
【００３７】
また、すすぎ行程の終わりにて、パルセータ２を回転しながら排水を実行するように構成したものであり、除去した洗剤カス１６を洗濯液１５とともに排水することができるので、洗濯兼脱水槽１７内の洗濯物に除去した洗剤カス１６が再付着するのを防止することができる。
【００３８】
また、洗濯兼脱水槽１７の内面の下方の側面に、パルセータ２の回転方向のほぼ全周にわたってリブ２１を設けたので、パルセータを回転させると、洗濯液１５の流れは遠心力で、洗濯兼脱水槽１７の内面の側壁にそって、下部から上方へ除去した洗剤カス１６とともに洗濯液が上がってくることがあるが、ほぼ全周方向にリブ２１を設けることにより、この洗濯液１５の流れを止めることができ、洗濯兼脱水槽１７内の洗濯物に除去した洗剤カス１６が再付着するのを防止することができる。
【００３９】
なお、本実施例では、すすぎ行程の終わりの洗濯液１５の排水時に、パルセータ２を回転させながら洗濯液１５を排水させているが、洗い行程の終わりと、すすぎ行程の終わりとでパルセータ２を回転させながら洗濯液１５を排水させることにより、洗い行程だけ、すすぎ行程だけという洗濯の使い方にも対応することができる。
【００４０】
（実施例２）
図４に示すように、洗濯兼脱水槽２３は、内面の底面に溝部２４を放射状に設けて水流撹乱部２５を構成し、モータによるパルセータの回転によって、洗濯兼脱水槽２３内の洗濯液の流れの一部が水流撹乱部２５に衝突し、上下方向の洗濯液の流れを作り、洗濯兼脱水槽２３の底面とパルセータの下方の空間の洗濯液の流れを撹乱するように構成している。他の構成は上記実施例１と同じである。
【００４１】
上記において動作を説明する。なお、洗い行程から脱水行程までの基本的な動作は上記実施例１の動作と同じであるので説明を省略する。
【００４２】
パルセータの回転によって生じる洗濯液の流れが水流撹乱部２５に衝突したときに、上記実施例１と同様に、矢印ｂで示すように、上下方向の流れが起こり、流れの乱れが起こって撹乱の力が加わるので、洗剤カスを除去することができる。
【００４３】
また、溝部２４で水流撹乱部２５を構成したため、水流撹乱部２５により洗濯兼脱水槽２３の内面の底面とパルセータの下方との間の空間の一部を狭くすることもないので、この間を通過する洗濯液の抵抗を増やすことがなく、上記実施例１のような突出リブに比べて、パルセータを回転させるエネルギーを小さく抑えることができる。この水流撹乱部２５の溝部２４は、パルセータの回転が左右どちらの回転にも対応できる。
【００４４】
また、水流撹乱部２５が溝部２４であるため、水流撹乱部２５は、別部品も必要でなく、組み立ての手間もいらず、金型を加工するだけという簡単な手段だけで、水流撹乱部２５を構成することができる。
【００４５】
【発明の効果】
以上のように本発明の請求項１に記載の発明によれば、洗濯兼脱水槽の内面の底面とパルセータの下方との間に水流撹乱部を設け、駆動手段によるパルセータの回転によって、水流撹乱部に洗濯液の流れを衝突させ、洗濯液に上下方向の流れを起こし、洗濯液を撹乱するように構成したから、洗濯兼脱水槽の内部の底面とパルセータの下方との間の洗濯液の流れに乱れを起こし撹乱の力が加わるようにできて、洗濯兼脱水槽の内面の底面とパルセータの下方との間の空間の壁面に付着した洗剤カスを除去することができ、洗剤カスの洗濯物への再付着を防止することができる。
【図面の簡単な説明】
【図１】本発明の第１の実施例の洗濯機の断面図
【図２】同洗濯機の洗濯兼脱水槽の斜視図
【図３】同洗濯機の洗濯兼脱水槽の一部切欠した斜視図
【図４】本発明の第２の実施例の洗濯機の洗濯兼脱水槽の一部切欠した斜視図
【図５】従来の洗濯機の断面図
【符号の説明】
２  パルセータ
６  モータ（駆動手段）
１７  洗濯兼脱水槽
１８  水流撹乱部
【図１】
2005006744.tif 000003
【図２】
2005006744.tif 000004
【図３】
2005006744.tif 000005
【図４】
2005006744.tif 000006
【図５】
2005006744.tif 000007